(57)【特許請求の範囲】
【請求項１】
内部に就寝用品が設置され該就寝用品上で就寝する人を地震時の家屋倒壊から防護するための鉄骨枠組式の防災シェルターで、２本の支柱部分とその上部間をつなぐ上枠部分および支柱部分の底部間をつなぐ底枠部分とにより上部が窄まった台形枠状に形成されて就寝用品の長手方向前後に対向状に立設配置される一対の主枠と、就寝用品の一側に対応する開放状の出入口側に対する奥側の面と前後一対の上枠部分間をつなぐ天面とに渡架される防護枠体とを有するものであり、前記主枠は、出入口側の支柱部分と上枠部分とが曲げ部分を介する一体成形品とされるとともに残る奥側の支柱が直線パイプの別体もので前記上枠部分の奥側の端部に斜めに交差する状態で一体連結され、前記防護枠体は、側面防護枠と天面防護枠との２つの枠体に分けて形成されて、側面防護枠は、前記直線パイプでなる支柱の前後間をこれら支柱に平行に添うものとして取り付けられ、天面防護枠は、前後一対の上枠部分間をこれら上枠部分に平行に添うものとして取り付けられていることを特徴とする防災シェルター。
【発明の詳細な説明】
【技術分野】
【０００１】  この発明は、地震に伴う家屋の倒壊などの危険から住民を防護することのできる防災シェルターに関する。
【背景技術】
【０００２】  地震に伴う家屋の倒壊は圧死を招き、先の地震でも圧死した人の多いことが問題となった。その一方で、一般国民には、緊急地震速報や地震警報器などの手段でＰ波発生直後に地震来襲の警告を発することができるようになってきた。
【発明の開示】
【発明が解決しようとする課題】
【０００３】  しかしながら、警告を発するようになっても住民は確たる逃げ場所がないのが実状である。その対策として、ベッドなどの就寝用品の外部に設置されて就寝する者を倒壊から護ることのできる防災シェルター（防災ベッド枠や防災ベッドともいう）が各種提供されるようになってきた。
その具体的なものが本出願人が先に実施した図６ないし図９に示す防災シェルターである。
この防災シェルターは、内部にベッドである就寝用品１が設置され該就寝用品１上で就寝する人を地震時の家屋倒壊などから防護するための鉄骨枠組式のものである。
同防災シェルターは、２本のスチール丸パイプ製支柱部分３，３とその上部間をつなぐ同じくスチールパイプ製上枠部分４および支柱部分３，３の底部間をつなぐフラットバー製の底枠部分５とにより上部が窄まった台形（門形）枠状に形成されて就寝用品１の長手方向前後に対向状に立設配置される一対の主枠６，６を備える。
就寝用品１の一側に対応する開放状の出入口側（図６の矢印表示側）に対する奥側の面と前後一対の上枠部分４間をつなぐ天面とに渡架される防護枠体８とを有する。尚、９は中段連結枠体である。【０００４】  ところで、前記主枠６は、図９に示すように、長い丸パイプをその２個所で折り曲げて一体枠形に成形して出来上がったものであったため、強度は高いが各主枠６…の仕上がり寸法が区々で、１組の防災シェルターを組み上げる時点で前後の主枠６，６の仕上がり寸法が異なるため、それに関連して溝形鋼製座片１０…を介して組み付けられる前記防護枠体８がひねった状態で止め付けられるという問題もあった。この場合、防護枠体８の方も複数本の横桟１１と縦材１２とを格子状に組み合わせたものであるが、この防護枠体８が、側面逆Ｌ形に一体成形されたものであったため、それ自体の寸法仕上がりも区々で両主枠８，８にうまくマッチングしにくいままマウントされるという不都合さがあり、設置現場で修正などが要求されて設置に手間取る不都合があった。縦材１２の一部には曲げ部材が複数本使用されていたため、これが高く付く要因ともなっていた。
また、同防護枠体８は側面と天面とが一体物であったため、非常に重量物となり、現場での主枠６に対するマウント作業が大変であった。【０００５】  また、この防護枠体８の内面には、防護面材１０が添設されて外部からの倒壊物や飛散物などに対し就寝する人をそれらから護るようにされていたが、この面材１０も逆Ｌ形に一体折り曲げ成形されたものが使用されていたため、それだけ高く付きしかも防護枠体８への組み付けも煩雑な作業が要求された。
この発明は、上記に鑑みなされたもので、各部材の寸法仕上がり精度の向上が図れて現場での構築が適正で強度のあるものとしてなされるようにするとともに構成部材の過剰な重量化をなくし軽量化を図ることにより現場での設置作業が楽にしかも確実にこなせるようにした安価な防災シェルターを提供することにある。
【課題を解決するための手段】
【０００６】  上記課題を解決するため、請求項１記載の発明は、内部に就寝用品が設置され該就寝用品上で就寝する人を地震時の家屋倒壊から防護するための鉄骨枠組式の防災シェルターで、２本の支柱部分とその上部間をつなぐ上枠部分および支柱部分の底部間をつなぐ底枠部分とにより上部が窄まった台形枠状に形成されて就寝用品の長手方向前後に対向状に立設配置される一対の主枠と、就寝用品の一側に対応する開放状の出入口側に対する奥側の面と前後一対の上枠部分間をつなぐ天面とに渡架される防護枠体とを有するものであり、前記主枠は、出入口側の支柱部分と上枠部分とが曲げ部分を介する一体成形品とされるとともに残る奥側の支柱が直線パイプの別体もので前記上枠部分の奥側の端部に斜めに交差する状態で一体連結され、前記防護枠体は、側面防護枠と天面防護枠との２つの枠体に分けて形成されて、側面防護枠は、前記直線パイプでなる支柱の前後間をこれら支柱に平行に添うものとして取り付けられ、天面防護枠は、前後一対の上枠部分間をこれら上枠部分に平行に添うものとして取り付けられていることを特徴とする。
【発明の効果】
【０００７】  この発明によれば、内部に就寝用品が設置され該就寝用品上で就寝する人を地震時の家屋倒壊から防護するための鉄骨枠組式の防災シェルターで、２本の支柱部分とその上部間をつなぐ上枠部分および支柱部分の底部間をつなぐ底枠部分とにより上部が窄まった台形枠状に形成されて就寝用品の長手方向前後に対向状に立設配置される一対の主枠と、就寝用品の一側に対応する開放状の出入口側に対する奥側の面と前後一対の上枠部分間をつなぐ天面とに渡架される防護枠体とを有するものであり、前記主枠は、出入口側の支柱部分と上枠部分とが曲げ部分を介する一体成形品とされるとともに残る奥側の支柱が直線パイプの別体もので前記上枠部分の奥側の端部に斜めに交差する状態で一体連結され、前記防護枠体は、側面防護枠と天面防護枠との２つの枠体に分けて形成されて、側面防護枠は、前記直線パイプでなる支柱の前後間をこれら支柱に平行に添うものとして取り付けられ、天面防護枠は、前後一対の上枠部分間をこれら上枠部分に平行に添うものとして取り付けられていることを特徴とするので、各部材の寸法仕上がり精度の向上が図れて現場での構築が適正で強度のあるものとしてなされるようにするとともに構成部材の過剰な重量化をなくし軽量化を図ることにより現場での設置作業が楽にしかも確実にこなせるようにした安価な防災シェルターを提供することができる。
【発明を実施するための最良の形態】
【０００８】  以下、この発明の一実施形態を図面にしたがって説明するが、ここで説明する各実施形態に含まれる個々の提案例は他の実施形態にも適用されるものとする。また、各構成部材の材質は木材・金属・樹脂（発泡スチロールも含む）など現存するすべてのものを利用し得るものとする。
図１ないし図５は、この発明に係る防災シェルターの１つの実施形態を示し、図１は平面図、図２は図１のＦ方向からみた正面図、図３は図１のＲ方向からみた背面図、図４は図２のＳ方向からみた右側面図（左側面図は対称に表れる）、図５は図４のＡ−Ａ線拡大断面図である。【０００９】  これらの図において、１５はベッドである就寝用品、１６は前後一対の主枠を示す。
主枠１６は、支柱部分１７と上枠部分１８とを１個所の曲げ部分１９を介して一体成形した前上部材２０と背面部材２１とを備える。これらの部材２０，２１は図５に断面形状を示すように全てスチールの丸パイプ製で前上部材２０と背面支柱２１とは別体物で斜めに溶接接合してなる。前上部材２０の上枠部材１８上には溝形鋼でなる上座枠２２が溶接で一体固着されるとともにこの上座枠２２の適所には図５の右欄に取り出して示すようにボルト２３…が植込式に複数本突設されている。背面支柱２１の上端と中段にも背座枠２４が溶接にて取り付けられるとともにそれぞれからボルト２３が複数本突設されている。【００１０】  図４に示すように、上座枠２２と上側の背座枠２４とは溶接で一体化されている。また、前上部材２０の支柱部分１７と背面支柱２１の中間よりやや下の高さには中段連結枠体２６が楕円パイプで一体連結されている。この楕円パイプはその長径方向が上下を向いている。２７は座枠部分で、主枠１６の底を連結する部材としてフラットバーで作られている。【００１１】  こうした主枠１６の一対は、図１ないし図３のように就寝用品１５の前後に対応するように対向配置されてその間をつなぐ防護枠体により全体が構築されて図１および図４の矢印側が正面出入口側とされそれに対する側が奥側とされる。
防護枠体は、従来では逆Ｌ形の一体ものとされていたが、この実施形態では、側面防護枠３０と天面防護枠３１との２つの枠体に分けて形成されている。
側面防護枠３０は、上下の横桟３３と複数本（３本）の縦材３４および左右両端部の端材３５で一体枠組みされているとともに、その内面には背面防護面材３６が脱着自在に張り付けられている。図１ないし３における３７は背面防護面材３６の面止着具である。横桟３３および縦材３４はスチール製四角パイプでなり端材３５はアングル材でなる。左右一対の端材３５には上下端部にて適数個の孔が開けられ、上下の前記背座枠２４に端材３５が当てがわれて枠止着具３７により脱着自在に取り付けられている。【００１２】  天面防護枠３１も一対の横桟４０とその間をつなぐ複数本（３本）の縦材４１および左右端部の端材４２で枠組みされているとともに、その内面には天面防護面材４３が脱着自在に張り付けられている。図１ないし３における４４は天面防護面材４３の面止着具である。横桟４０および縦材４１はスチール製四角パイプでなり端材４２はアングル材でなる。左右一対の端材４２には上下端部にて適数個の孔が開けられ、上座枠２２に端材４２が当てがわれて枠止着具４５により脱着自在に取り付けられている。【００１３】  前記実施形態のように、主枠１６は、強度が高く寸法仕上がり精度も良い１個所折曲式の前上部材２０と寸法精度が常に高く得られる直線状の背面支柱２１とを溶接して形成したしたので、常に寸法精度が一定の枠体を形成することができる。そのことから、防護枠体である２つの防護枠３０，３１を取り付けるにもひねったりすることなく精度良く取り付けることが可能になった。しかも、防護枠体が側面３０と天面３１の２つの平坦でシンプルな防護枠により構成されているので、前記主枠１６に取り付けるにも常に適正な関係で取り付けることができるようになった。【００１４】  また、防護枠体が側面３０と天面３１の２つの防護枠により構成されているので、マウントするにも軽量で楽に取り付けることができるようになった。防護枠体が側面３０と天面３１の２つの平坦でシンプルな防護枠により構成されているので、製作するにも安価に済むものとなった。
さらに、２つの防護枠３０，３１の内面に設けられる防護面材３６，４３も個別の平坦でシンプルなものとなり、そのことが製作を簡略化しコストダウンに寄与するものとなった。
また、防護枠体が側面３０と天面３１に分けて構成されていると、例えば、倒壊などにより破損しても個別に補修や取替えができるようになった。【００１５】  尚、図５に示すように、上座枠２２（あるいは背座枠２４）にはアングル型の補強片４７を設けて天面（あるいは側面）防護枠３０，３１を止め付けることでより強固に固定するようにしてもよい。【００１６】
【図１】  本発明の一実施形態を示す平面図。
【図２】  図１のＦ方向からの矢視図。
【図３】  図１のＲ方向からの矢視図。
【図４】  図２のＳ方向からの矢視図。
【図５】  図４のＡ−Ａ線拡大断面図。
【図６】  従来の防災シェルターの一例を示す平面図。
【図７】  図６のＦ方向からの矢視図。
【図８】  図６のＲ方向からの矢視図。
【図９】  図７のＳ方向からの矢視図。
【００１７】１５…就寝用品  １６…主枠  １７…支柱部分  １８…上枠部分  １９…曲げ部分  ２０…前上部材  ２１…背面支柱  ２７…座枠部分  ３０…側面防護枠  ３１…天面防護枠。
【図１】
0005167505.tif 000002
【図２】
0005167505.tif 000003
【図３】
0005167505.tif 000004
【図４】
0005167505.tif 000005
【図５】
0005167505.tif 000006
【図６】
0005167505.tif 000007
【図７】
0005167505.tif 000008
【図８】
0005167505.tif 000009
【図９】
0005167505.tif 000010